(57)【要約】【課題】出力されるデータが閲覧を許可された者のみ閲覧できるようにする。【解決手段】  情報処理装置１は、文書を情報表示装置２へ出力するように指示されると、文書の画像を表す文書画像データを生成する。また、情報処理装置１は、情報表示装置２のユーザ名を情報表示装置２から取得し、取得したユーザ名を表示する。文書の閲覧が許可されるユーザのユーザ名が選択されると、選択されたユーザ名が文書画像データに付加され、この文書画像データが情報表示装置２へ出力される。情報表示装置２においては、ログインしたユーザのユーザ名が付加された文書画像データのファイル名一覧が表示される。ユーザがファイル名一覧の中から閲覧したいファイルのファイル名を選択すると、情報表示装置２は、選択されたファイル名の文書画像データに従って文書の画像を表示する。【選択図】図１
2008226081.tif 000002
【特許請求の範囲】
【請求項１】
文書を表す文書画像データに従って該文書を表示する情報表示装置から、該情報表示装
置を使用可能なユーザ毎に設けられたユーザ識別情報を取得する取得手段と、
ユーザにより操作される操作手段と、
文書画像データが表す文書の閲覧が許可されるユーザを、前記取得手段により取得され
たユーザ識別情報に対応するユーザの中から前記操作手段にされた操作に応じて選択する
選択手段と、
前記選択手段で選択されたユーザのユーザ識別情報を前記文書画像データに付加して前
記情報表示装置へ出力する出力手段と
を有する情報処理装置。
【請求項２】
前記取得手段は、複数の情報表示装置と接続され、接続されている複数の情報表示装置
から前記ユーザ識別情報を取得し、
前記出力手段は、複数の情報表示装置と接続され、接続されている複数の情報表示装置
へ前記文書画像データを出力すること
を特徴とする請求項１に記載の情報処理装置。
【請求項３】
請求項１に記載の情報処理装置において、当該情報処理装置のユーザのアカウントと、
該アカウントのユーザに対応する前記ユーザ識別情報とを対応付けて表示する表示手段を
有することを特徴とする請求項１に記載の情報処理装置。
【請求項４】
請求項１に記載の情報処理装置において、
前記取得手段は、さらに前記情報表示装置を使用可能なユーザの特徴を表す特徴情報を
取得し、
当該情報処理装置のユーザのアカウントと、該ユーザの特徴を表す特徴情報とを対応付
けて記憶した記憶手段と、
前記記憶手段において前記取得手段で取得された特徴情報と一致する特徴情報がある場
合、前記記憶手段において該特徴情報に対応付けて記憶されているアカウントと、前記取
得手段で取得された情報において該特徴情報に対応するユーザ識別情報とを対応付けて表
示する表示手段
を有することを特徴とする情報処理装置。
【請求項５】
文書を表す文書画像データに従って該文書を表示する情報表示装置から、該情報表示装
置を使用可能なユーザ毎に設けられたユーザ識別情報を取得する取得手段と、
ユーザにより操作される操作手段と、
文書画像データが表す文書の閲覧が許可されるユーザを、前記取得手段により取得され
たユーザ識別情報に対応するユーザの中から前記操作手段にされた操作に応じて選択する
選択手段と、
前記選択手段で選択されたユーザのユーザ識別情報を前記文書画像データに付加して前
記情報表示装置へ出力する出力手段と
を有する情報処理装置と、
前記情報表示装置であって、
前記ユーザ識別情報を記憶する記憶手段と、
前記情報処理装置へ前記ユーザ識別情報を提供する提供手段と、
前記出力手段から出力された文書画像データを受け取る文書画像データ受取手段と、
該情報表示装置のユーザを特定する特定手段と、
前記特定手段で特定されたユーザに対応するユーザ識別情報を前記記憶手段から読み出
し、読み出したユーザ識別情報と同じユーザ識別情報が付加されている文書画像データを
、
前記文書画像データ受取手段が受け取った文書画像データの中から抽出し、抽出した文書
画像データが表す文書を表示する表示手段と
を有する情報表示装置
を備えた文書表示システム。
【請求項６】
コンピュータ装置を、
文書を表す文書画像データに従って該文書を表示する情報表示装置から、該情報表示装
置を使用可能なユーザ毎に設けられたユーザ識別情報を取得する取得手段と、
ユーザにより操作される操作手段と、
文書画像データが表す文書の閲覧が許可されるユーザを、前記取得手段により取得され
たユーザ識別情報に対応するユーザの中から前記操作手段にされた操作に応じて選択する
選択手段と、
前記選択手段で選択されたユーザのユーザ識別情報を前記文書画像データに付加して前
記情報表示装置へ出力する出力手段
として機能させるプログラム。
【発明の詳細な説明】
【技術分野】
【０００１】
本発明は、データを記憶している装置から他の装置へデータを出力する技術に関する。
【背景技術】
【０００２】
電子化された書籍や文書等のページを液晶ディスプレイや電気泳動ディスプレイに表示
する、所謂電子ブックと呼ばれる情報表示装置がある。この種の情報表示装置に文書を表
示させる場合、例えば、パーソナルコンピュータにおいてアプリケーションプログラムを
用いて文書のデータを開く。そして、仮想プリンタの機能を使用し、開いたデータを情報
表示装置が利用できるデータ形式に変換し、変換されたデータをパーソナルコンピュータ
に接続された情報表示装置へ出力する。あるいは、パーソナルコンピュータにおいてデー
タ形式変換アプリケーションプログラムを利用して、情報表示装置が利用できるデータ形
式に文書を変換し、変換されたデータをパーソナルコンピュータに接続された情報表示装
置へ出力する。情報表示装置は、この出力されたデータを記憶し、記憶したデータを解釈
して文書の画像を表示する。
【０００３】
ここで、パーソナルコンピュータ装置が多人数により共用される場合、文書のデータは
不特定の者によりアクセスされ、データの作成者の知らないところで情報表示装置に出力
されて持ち出される虞がある。そこで、コンピュータ装置においては、データに対する読
み取りや書き込み等のアクセス権を特定の利用者に対してのみ設定し、読み取りや書き込
みを許可されていない第三者によるデータへのアクセスを禁止する技術が考案されている
（例えば、特許文献１参照）。この技術を利用すれば、文書のデータにアクセス権を設定
することにより文書のデータは特定の者しか開くことができなくなる。そして、アクセス
権を持たない第三者は文書のデータを開いて情報表示装置へ出力することができなくなる
ため、第三者が文書のデータを勝手に情報表示装置へ出力して持ち出すことを防ぐことが
できる。
【０００４】
【特許文献１】特開平６−２３６３１０号公報
【発明の開示】
【発明が解決しようとする課題】
【０００５】
さて、文書表示装置は、消費電力も少なく携帯性もあって文書を気軽に持ちあるくこと
ができる。また、文書を読むときに紙を必要としないため環境にも優しく、特にオフィス
等においては紙の使用が減って経費の削減もできることから、文書を読むための装置とし
て非常に注目されている。しかしながら、オフィス等において使用される場合には、人数
分の情報表示装置を用意するのは難しい場合もあり、一台の情報表示装置を複数人で共同
使用することも考えられる。この場合、上述した技術を利用すると、コンピュータ装置か
ら情報表示装置への文書のデータの出力は、文書のデータへのアクセスを許された者しか
行うことができないものの、情報表示装置においては、複数の者が情報表示装置を使用し
てアクセス権のなかった文書を見ることができてしまう。
【０００６】
本発明は、上述した背景の下になされたものであり、出力されるデータが閲覧を許可さ
れた者のみ閲覧できるようにする技術を提供することを目的とする。
【課題を解決するための手段】
【０００７】
上述した課題を解決するために本発明は、文書を表す文書画像データに従って該文書を
表示する情報表示装置から、該情報表示装置を使用可能なユーザ毎に設けられたユーザ識
別情報を取得する取得手段と、ユーザにより操作される操作手段と、文書画像データが表
す文書の閲覧が許可されるユーザを、前記取得手段により取得されたユーザ識別情報に対
応するユーザの中から前記操作手段にされた操作に応じて選択する選択手段と、前記選択
手段で選択されたユーザのユーザ識別情報を前記文書画像データに付加して前記情報表示
装置へ出力する出力手段とを有する情報処理装置を提供する。
【０００８】
本発明においては、前記取得手段は、複数の情報表示装置と接続され、接続されている
複数の情報表示装置から前記ユーザ識別情報を取得し、前記出力手段は、複数の情報表示
装置と接続され、接続されている複数の情報表示装置へ前記文書画像データを出力しても
よい。
【０００９】
また、本発明においては、当該情報処理装置のユーザのアカウントと、該アカウントの
ユーザに対応する前記ユーザ識別情報とを対応付けて表示する表示手段を有していてもよ
い。
【００１０】
また、本発明においては、前記取得手段は、さらに前記情報表示装置を使用可能なユー
ザの特徴を表す特徴情報を取得し、当該情報処理装置のユーザのアカウントと、該ユーザ
の特徴を表す特徴情報とを対応付けて記憶した記憶手段と、前記記憶手段において前記取
得手段で取得された特徴情報と一致する特徴情報がある場合、前記記憶手段において該特
徴情報に対応付けて記憶されているアカウントと、前記取得手段で取得された情報におい
て該特徴情報に対応するユーザ識別情報とを対応付けて表示する表示手段を有していても
よい。
【００１１】
また、本発明は、文書を表す文書画像データに従って該文書を表示する情報表示装置か
ら、該情報表示装置を使用可能なユーザ毎に設けられたユーザ識別情報を取得する取得手
段と、ユーザにより操作される操作手段と、文書画像データが表す文書の閲覧が許可され
るユーザを、前記取得手段により取得されたユーザ識別情報に対応するユーザの中から前
記操作手段にされた操作に応じて選択する選択手段と、前記選択手段で選択されたユーザ
のユーザ識別情報を前記文書画像データに付加して前記情報表示装置へ出力する出力手段
とを有する情報処理装置と、前記情報表示装置であって、前記ユーザ識別情報を記憶する
記憶手段と、前記情報処理装置へ前記ユーザ識別情報を提供する提供手段と、前記出力手
段から出力された文書画像データを受け取る文書画像データ受取手段と、該情報表示装置
のユーザを特定する特定手段と、前記特定手段で特定されたユーザに対応するユーザ識別
情報を前記記憶手段から読み出し、読み出したユーザ識別情報と同じユーザ識別情報が付
加されている文書画像データを、前記文書画像データ受取手段が受け取った文書画像デー
タの中から抽出し、抽出した文書画像データが表す文書を表示する表示手段とを有する情
報表示装置を備えた文書表示システムを提供する。
【００１２】
また、本発明は、コンピュータ装置を、文書を表す文書画像データに従って該文書を表
示する情報表示装置から、該情報表示装置を使用可能なユーザ毎に設けられたユーザ識別
情報を取得する取得手段と、ユーザにより操作される操作手段と、文書画像データが表す
文書の閲覧が許可されるユーザを、前記取得手段により取得されたユーザ識別情報に対応
するユーザの中から前記操作手段にされた操作に応じて選択する選択手段と、前記選択手
段で選択されたユーザのユーザ識別情報を前記文書画像データに付加して前記情報表示装
置へ出力する出力手段として機能させるプログラムを提供する。
【発明を実施するための最良の形態】
【００１３】
［実施形態の構成］
（全体構成）
図１は、本発明の一実施形態に係るシステムの全体構成を示した図である。情報処理装
置１は、所謂PC/AT互換機と呼ばれるコンピュータ装置である。情報処理装置１は、情報
表示装置２と通信を行うための通信ケーブル３が接続される端子を備えており、電子化さ
れた文書のデータを通信ケーブル３を介して情報表示装置２へ送信する。なお、本実施形
態においては、情報処理装置１はPC/AT互換機と呼ばれるコンピュータ装置に限定される
ものではなく、文書のデータを送信することができるコンピュータ装置であれば、他のコ
ンピュータ装置であってもよい。携帯型の情報表示装置２は、電子化された文書のページ
を表示する装置であり、他の装置と通信を行うための通信ケーブル３が装着される端子を
備えている。情報表示装置２は、情報処理装置１から通信ケーブル３を介して送信された
文書のデータを受信して記憶する。そして、記憶したデータが表す文書をユーザの操作に
応じて表示する。
【００１４】
（情報表示装置２の構成）
図２は、情報表示装置２のハードウェア構成を示したブロック図である。図２に示した
ように、情報表示装置２は、制御部２０１、表示部２０２、操作部２０３、通信部２０４
、センサ部２０５を有している。
【００１５】
表示部２０２は制御部２０１に接続されており、制御部２０１の制御の下、文書の画像
や情報表示装置２を操作するためのメニュー画面などを表示する。なお、表示部２０２は
、記憶性を有する表示素子を有しており、画像を表示したあとは電力が供給されなくても
長時間同じ画像を表示し続けることができる。
操作部２０３は制御部２０１に接続されており、情報表示装置２を操作するための各種
ボタンを有している。操作部２０３のボタンが操作されると、操作されたボタンを表す信
号が制御部２０１へ出力される。制御部２０１は、この信号と表示部２０２に表示した画
面とに基づいてユーザからの指示を特定し、特定した指示に応じて各部を制御する。
【００１６】
通信部２０４は制御部２０１に接続されており、情報処理装置１と通信を行う通信イン
ターフェース機能を備えている。通信部２０４は通信ケーブルが差し込まれる端子を備え
ており、制御部２０１の制御の下、端子に接続された通信ケーブル３を介して情報処理装
置１と通信を行い、各種データを授受する。
センサ部２０５は、制御部２０１に接続されており、情報表示装置２のユーザの指紋を
読み取る指紋センサ（図示略）を備えている。センサ部２０５は、制御部２０１の制御の
下、ユーザの指の指紋を指紋センサで読み取り、読み取った指紋の特徴点を表す特徴点デ
ータを制御部２０１へ出力する。
【００１７】
制御部２０１は、ＣＰＵ（Central Processing Unit）２０１Ａ、ＲＯＭ（Read Only M
emory）２０１Ｂ、ＲＡＭ（Random Access Memory）２０１Ｃ、不揮発性メモリ２０１Ｄ
を有している。ＲＯＭ２０１Ｂには、ＣＰＵ２０１Ａにより実行される制御プログラムが
記憶されている。
【００１８】
不揮発性メモリ２０１Ｄは、電力が供給されなくても記憶内容を保持するメモリであり
、文書の画像を表す文書画像データや、情報表示装置２を一意に識別する装置識別子、制
御部２０１がセンサ部２０５から受け取った特徴点データを記憶する。また、不揮発性メ
モリ２０１Ｄは、図３に示したフォーマットのユーザテーブルＴＢ１を記憶している。ユ
ーザテーブルＴＢ１においては、「ユーザ名」フィールドには情報表示装置２を使用する
ユーザの氏名を表すデータが格納される。また、「特徴点」フィールドには、情報表示装
置２のユーザの指紋の特徴点を表す特徴点データのファイル名が格納される。
【００１９】
制御部２０１においては、図示せぬ電源から電力が供給されるとＲＯＭ２０１Ｂに記憶
されている制御プログラムがＣＰＵ２０１Ａにより実行される。ＣＰＵ２０１Ａが制御プ
ログラムを実行すると、制御部２０１によって各部が制御され、文書画像データが表す文
書の画像を表示する機能や、情報表示装置２を操作するための操作画面を表示部２０２に
表示する機能、情報処理装置１と通信を行う機能、情報表示装置２のユーザの指紋の特徴
点を検知し、ユーザテーブルＴＢ１に各種データを格納する機能などの各種機能が情報表
示装置２において実現する。
【００２０】
（情報処理装置１の構成）
図４は、情報処理装置１のハードウェア構成を示したブロック図である。図４に示した
ように、情報処理装置１は、制御部１０１、記憶部１０５、通信部１０６、操作部１０７
、表示部１０８、ドライブ部１０９Ａ〜１０９Ｃを有している。
【００２１】
通信インターフェース機能を有する通信部１０６は制御部１０１に接続されており、通
信ケーブル３が差し込まれる端子を備えている。通信部１０６は、制御部１０１の制御の
下、端子に接続された通信ケーブル３を介して情報表示装置２と通信を行い、各種データ
を授受する。操作部１０７は、情報処理装置１を操作するためのキーボード（図示略）や
マウス（図示略）を有している。表示部１０８は液晶ディスプレイを具備しており、制御
部１０１の制御の下、文字やグラフィック画像、情報処理装置１を操作するためのメニュ
ー画面などの各種画像を表示する。
【００２２】
ドライブ部１０９Ａ〜１０９Ｃは、各種記録媒体へデータの読み書きを行う機能を有し
ており、制御部１０１へ接続されている。具体的には、ドライブ部１０９Ａは、フレキシ
ブルディスクが挿入される挿入口を備えており、制御部１０１の制御の下、挿入口に挿入
されたフレキシブルディスクへのデータの書き込みやフレキシブルディスクからのデータ
の読み出しを行う。また、ドライブ部１０９Ｂは、ＣＤ（Compact Disk）やＤＶＤ（Digi
tal Versatile Disk）など読み書き可能な光ディスクの記録媒体が挿入される挿入口を備
えており、制御部１０１の制御の下、挿入口に挿入された光ディスクへのデータの書き込
みや光ディスクからのデータの読み出しを行う。また、ドライブ部１０９Ｃは、記録媒体
としてフラッシュメモリを採用しているメモリカードが挿入される挿入口を備えており、
制御部１０１の制御の下、挿入口に挿入されたメモリカードへのデータの書き込みやメモ
リカードからのデータの読み出しを行う。
【００２３】
記憶部１０５は、ハードディスク装置を有しており、情報処理装置１にオペレーティン
グシステム（Operating System：ＯＳ）の機能を実現させるＯＳプログラム、文書の作成
や編集などの機能を実現させるアプリケーションプログラム、アプリケーションプログラ
ムを用いて作成された文書を表すデータを出力する仮想プリンタの機能を実現させるドラ
イバプログラムなどを記憶している。
また、記憶部１０５は、アプリケーションプログラムを用いて作成された文書を表す文
書データを記憶する。記憶部１０５は、複数の文書データを記憶することができ、「abc.
html」や「def.html」など、ファイル名が異なる複数の文書データを記憶する。なお、こ
の文書データは、文書データにアクセス可能なユーザのアカウントを含んでおり、アプリ
ケーションプログラムにより文書データを開く際には、文書データに含まれているアカウ
ントのユーザしか文書を開くことができないようになっている。
【００２４】
制御部１０１は、ＣＰＵ１０２、ＩＰＬ（Initial Program Loader）を記憶したＲＯＭ
１０３、ＲＡＭ１０４を有している。制御部１０１においては、図示せぬ電源から電力が
供給されるとＲＯＭ１０３に記憶されているＩＰＬがＣＰＵ１０２により実行される。Ｃ
ＰＵ１０２がＩＰＬを実行すると、記憶部１０５に記憶されているＯＳプログラムがＣＰ
Ｕ１０２により実行され、本実施形態においては、ドライブ部１０９Ａは「Ａドライブ」
、記憶部１０５のハードディスク装置は「Ｃドライブ」、ドライブ部１０９Ｂは「Ｄドラ
イブ」、ドライブ部１０９Ｃは「Ｅドライブ」として認識される。また、ＯＳプログラム
が実行されると、操作部１０７からの入力や表示部１０８への画面出力といった入出力機
能、記憶部１０５やドライブ部１０９Ａ〜１０９Ｃの制御、記憶部１０５に記憶されてい
る各種プログラムの実行など、コンピュータ装置としての基本的な機能が実現する。
【００２５】
［実施形態の動作］
（情報表示装置２にユーザのユーザ名を登録する時の動作）
まず、情報表示装置２を複数人で使用する場合、情報表示装置２においてユーザを登録
する操作を行う。具体的には、まず、情報表示装置２のユーザが操作部２０３を操作し、
ユーザの登録を行うためのメニュー画面の表示を情報表示装置２に対して指示すると、制
御部２０１は表示部２０２を制御して図６に示したメニュー画面を表示部２０２に表示さ
せる。この画面を見たユーザが、操作部２０３を操作して図６のメニュー画面中のテキス
トボックスＡ１にユーザ名を入力すると（図５：ステップＳＡ１；ＹＥＳ）、入力された
ユーザ名がテキストボックスＡ１内に表示される（ステップＳＡ２）。そして、ユーザが
操作部２０３を操作してメニュー画面中のＯＫボタンＡ２を押下する旨の操作を行うと（
ステップＳＡ３；ＹＥＳ）、制御部２０１は、入力されたユーザ名をＲＡＭ２０１Ｃに格
納（ステップＳＡ４）した後、センサ部２０５の指紋センサへ指を載せるようにユーザを
促すメニュー画面（図７）を表示部２０２に表示させる（ステップＳＡ５）。なお、ステ
ップＳＡ３とステップＳＡ４の間で、テキストボックスへ文字入力がされているか否か判
定し、文字入力がされていない場合には、文字入力を促すメッセージを表示した後、ステ
ップＳＡ１へ処理の流れを戻すようにしてもよい。
【００２６】
ここで、ユーザが指をセンサ部２０５の指紋センサに載せた後、図７に示したメニュー
画面中のＯＫボタンＢ１を押下する旨の操作を行うと（ステップＳＡ６；ＹＥＳ）、セン
サ部２０５が制御されて指紋センサにより指の指紋が読み取られ、指紋の特徴点を表す特
徴点データがセンサ部２０５から制御部２０１へ出力される。制御部２０１は、この特徴
点データを受け取ると（ステップＳＡ７）、このデータを一意に識別するファイル名を生
成し、特徴点データのファイル名を生成したファイル名にした後、特徴点データを不揮発
性メモリ２０１Ｄに記憶させる（ステップＳＡ８）。そして、制御部２０１は、ＲＡＭ２
０１Ｃに格納したユーザ名をユーザテーブルＴＢ１のユーザ名フィールドに格納すると共
に、ユーザ名が格納されたセルに対応付けて「特徴点」フィールドに記憶した特徴点デー
タのファイル名を格納する（ステップＳＡ９）。例えば、入力されたユーザ名が「saburo
」であり特徴点データのファイル名が「f003」である場合、図３に示したようにユーザ名
の「saburo」とファイル名の「f003」が対応付けてユーザテーブルＴＢ１に格納される。
【００２７】
（文書のデータを情報表示装置２へ出力する時の動作）
次に、情報処理装置１に記憶されている文書データの文書を情報表示装置２に表示させ
る時の動作について説明する。まず、情報処理装置１のユーザは、操作部１０７を操作し
て自身のアカウントとパスワードとを入力し、情報処理装置１にログインする。例えば、
上述した動作で情報表示装置２にユーザの登録をした者（ユーザ名「saburo」）が情報処
理装置１にログインする場合、自身のアカウント「saburo」とパスワードとを入力してロ
グインする。
次に、ユーザが操作部１０７を操作し、情報処理装置１に対して記憶部１０５のファイ
ル名が「abc.html」である文書データを開くように指示すると、記憶部１０５に記憶され
ているアプリケーションプログラムが制御部１０１により実行される。そして、情報処理
装置１において文書の作成・編集機能が実現し、文書作成用のウィンドウ（図８）が表示
部１０８に表示されると共に文書データが開かれ、文書作成用のウィンドウ内に文書デー
タが表す文書が表示される。
【００２８】
ユーザは文書が表示されると、情報処理装置１を操作して文書の画像を表す文書画像デ
ータを情報表示装置２へ送信させる。具体的には、通信ケーブル３の端部を通信部１０６
の端子と通信部２０４の端子に差し込み、情報処理装置１と情報表示装置２とを接続する
。次に、ユーザが図８のウィンドウのツールバーの「ファイル」の項目をクリックする操
作を行うと、図９に例示したようにプルダウンメニューＰ１が表示される。そして、文書
画像データを情報表示装置２へ送信するために、ユーザがプルダウンメニューＰ１中の「
印刷」の項目をクリックする操作を行うと、図１０に示したように印刷に関する設定を行
うためのメニュー画面が表示部１０８に表示される。
【００２９】
ここで、ユーザが、図１０中の「プリンタ名」のリストボックスＬ１をクリックする操
作を行うと、図１１に示したように、リストボックスＬ１中に文書画像データの送信先と
なるデバイスの一覧が表示される。ここで、ユーザが操作部１０７のマウスを操作し、一
覧に表示された「仮想プリンタ」をクリックする操作を行った後、図１１中のＯＫボタン
Ｃ１をクリックする操作を行うと、制御部１０１は、記憶部１０５に記憶されているドラ
イバプログラムを実行し、図１２に示したフローチャートの処理を行う。
【００３０】
まず、制御部１０１は、文書の画像を表すデータであって、情報表示装置２が解釈可能
な文書画像データを生成してＲＡＭ１０４に記憶させる（ステップＳＢ１）。例えば、フ
ァイル名が「abc.html」である文書データから文書画像データを生成した場合、ファイル
名が「abc.bmp」であって、文書の書誌情報として元のファイル名である「abc.html」を
書誌情報として含む文書画像データが生成される。
次に制御部１０１は、ユーザテーブルＴＢ１を要求する要求メッセージを生成し、生成
した要求メッセージを通信部１０６を制御して情報表示装置２へ送信する（ステップＳＢ
２）。通信部１０６から通信ケーブル３を介して送信された要求メッセージが通信部２０
４にて受信されると、制御部２０１は、ユーザテーブルＴＢ１と装置識別子とを不揮発性
メモリ２０１Ｄから読み出す。そして、制御部２０１は、ユーザテーブルＴＢ１と装置識
別子とを通信部１０６を制御して情報表示装置２へ送信する。なお、ここでは、ユーザテ
ーブルＴＢ１に格納されている特徴点データのファイル名を送信しないようにしてもよい
。
【００３１】
通信部２０４から通信ケーブル３を介して送信されたユーザテーブルＴＢ１と装置識別
子とが通信部１０６にて受信されると（ステップＳＢ３；ＹＥＳ）、制御部１０１は、ユ
ーザテーブルＴＢ１の「ユーザ名」フィールドに格納されているユーザ名と装置識別子と
を、図１３に示したように表示部１０８に表示する（ステップＳＢ４）。図１３に示した
画面においては、情報処理装置１のユーザは、情報表示装置２において文書の閲覧を許可
するユーザを指定することができる。例えば、情報処理装置１にログインした「saburo」
というユーザが、自身の他に「ichiro」というユーザ名のユーザに文書の閲覧を許可する
場合、「ichiro」というユーザ名に対応付けられているチェックボックスＤ３と、「sabu
ro」というユーザ名に対応付けられているチェックボックスＤ５とにチェックを入れる（
ステップＳＢ５；ＹＥＳ、ステップＳＢ６）。
【００３２】
次に、ユーザが図１３に示した画面中のＯＫボタンＤ１をクリックする操作を行うと（
ステップＳＢ７；ＹＥＳ）、制御部１０１は、チェックボックスにチェックが入ったユー
ザ名「ichiro」と「saburo」とを文書画像データの書誌情報に付加する（ステップＳＢ８
）。そして、制御部１０１は、ユーザ名が付加された文書画像データを、通信部１０６を
制御して情報表示装置２へ送信する（ステップＳＢ９）。通信部１０６から通信ケーブル
３を介して送信された文書画像データが通信部２０４にて受信されると、制御部２０１は
、受信した文書画像データを不揮発性メモリ２０１Ｄに記憶させる。そして、情報表示装
置２は、この記憶した文書画像データの画像を表示するようにユーザから指示を受けると
、文書画像データに従って画像を表示する。
【００３３】
（文書の画像を情報表示装置２に表示させる時の動作）
次に、不揮発性メモリ２０１Ｄに記憶された文書画像データの画像を表示部２０２に表
示させる時の動作について説明する。
【００３４】
（ユーザ名が「ichiro」であるユーザが情報表示装置２を使用する時の動作）
まず、ユーザは情報表示装置２にログインする。具体的には、ユーザ名が「ichiro」で
あるユーザが操作部２０３を操作し、登録してあるユーザ名の一覧の表示を情報表示装置
２に対して指示すると、制御部２０１はユーザテーブルＴＢ１に格納されているユーザ名
を読み出す。そして、制御部２０１は表示部２０２を制御し、読み出したユーザ名の一覧
を図１５に示したように表示部２０２に表示させる（図１４：ステップＳＣ１）。
この画面を見たユーザが、操作部２０３を操作して自身のユーザ名「ichiro」に対応し
たラジオボタンを選択すると選択されたラジオボタンに図１５に示したように黒丸が表示
され（ステップＳＣ２；ＹＥＳ、ステップＳＣ３）、図１５に示した画面中のＯＫボタン
Ｅ１を押下する旨の操作を行うと（ステップＳＣ４；ＹＥＳ）、制御部２０１は、選択さ
れたユーザ名に対応付けてユーザテーブルＴＢ１に格納されているファイル名「f001」を
読み出し、読み出したファイル名の特徴点データを不揮発性メモリ２０１Ｄから読み出し
てＲＡＭ２０１Ｃに記憶させる（ステップＳＣ５）。そして、制御部２０１は、指紋セン
サへ指を載せるようにユーザを促すメニュー画面（図１６）を表示部２０２に表示させる
（ステップＳＣ６）。
【００３５】
ここで、ユーザが指をセンサ部２０５の指紋センサに載せた後、メニュー画面中のＯＫ
ボタンＦ１を押下する旨の操作を行うと（ステップＳＣ７；ＹＥＳ）、センサ部２０５が
制御されて指紋センサにより指の指紋が読み取られ、指紋の特徴点を表す特徴点データが
センサ部２０５から制御部２０１へ出力される。
制御部２０１は、特徴点データを受け取ると（ステップＳＣ８）、ＲＡＭ２０１Ｃに記
憶されているユーザ名「ichiro」の特徴点データと、センサ部２０５から受け取った特徴
点データとを比較する。ここで、特徴点データが一致しなかった場合には（ステップＳＣ
９；ＮＯ）、制御部２０１は、ユーザ名「ichiro」ではない者が情報表示装置２をログイ
ンを試みていると判断し、情報表示装置２を使用できない旨を知らせるエラーメッセージ
を表示部２０２に表示する（ステップＳＣ１０）。
【００３６】
一方、ＲＡＭ２０１Ｃに記憶されている特徴点データと、センサ部２０５から受け取っ
た特徴点データとが一致した場合（ステップＳＣ９；ＹＥＳ）、制御部２０１は、情報表
示装置２のユーザをユーザ名が「ichiro」である者と特定する。すると制御部２０１は、
不揮発性メモリ２０１Ｄに記憶されている文書画像データのファイル名一覧を表示部２０
２に表示させる（ステップＳＣ１１）。
ここで、制御部２０１は、ユーザに対して閲覧が許可されている文書画像データのファ
イル名のみを表示する。具体的には、制御部２０１は、不揮発性メモリ２０１Ｄに記憶さ
れているファイルにおいて、ログインしているユーザのユーザ名を書誌情報に有している
ファイルを検索する。例えば、不揮発性メモリ２０１Ｄがabc.bmp、def.bmpという文書画
像データを記憶しており、abc.bmpにはユーザ名「ichiro」と「saburo」が付加され、def
.bmpにはユーザ名「ichiro」と「jiro」が付加されているとすると、ここでは、現在ログ
インしているユーザのユーザ名「ichiro」が付加されている「abc.bmp」と「def.bmp」と
が検索される。そして、制御部２０１はファイル名を検索すると、検索したファイル名の
一覧を図１７に示したように表示部２０２に表示させる。
【００３７】
次に、図１７の画面を見たユーザが、操作部２０３を操作してファイル名「abc.bmp」
の横のラジオボタンを選択すると（ステップＳＣ１２；ＹＥＳ）、選択されたファイル名
の横のラジオボタンの表示が変更される（ステップＳＣ１３）。そして、ユーザが図１７
に示した画面中のＯＫボタンＧ１を押下する旨の操作を行うと（ステップＳＣ１４；ＹＥ
Ｓ）、制御部２０１は、ラジオボタンで選択されたファイル名の文書画像データを不揮発
性メモリ２０１Ｄから読み出す。そして制御部２０１は、読み出した文書画像データが表
す画像を表示部２０２に表示させる（ステップＳＣ１５）。
なお、ユーザがファイル名を選択せずにＯＫボタンを押下する操作を行った場合には、
ファイル名が選択されていないことを知らせるエラーメッセージを表示した後、再度、図
１７の画面を表示してファイルの選択を促すようにしてもよい。
【００３８】
（ユーザ名が「jiro」であるユーザが情報表示装置２を使用する時の動作）
次に、ユーザ名が「jiro」であるユーザが情報表示装置２を使用する時の動作について
説明する。まず、ユーザ名が「jiro」であるユーザは、ユーザ名が「ichiro」であるユー
ザと同様にして情報表示装置２にログインする操作を行う。すると、図１４に示した処理
が行われ、ステップＳＣ９においてＹＥＳと判断されると、制御部２０１は、不揮発性メ
モリ２０１Ｄに記憶されている文書画像データのファイル名一覧を表示部２０２に表示さ
せる（ステップＳＣ１１）。
ここで、上述したように、不揮発性メモリ２０１Ｄがabc.bmp、def.bmpという文書画像
データを記憶しており、abc.bmpにはユーザ名「ichiro」と「saburo」が付加され、def.b
mpにはユーザ名「ichiro」と「jiro」が付加されているとすると、ここでは、現在使用し
ているユーザのユーザ名「jiro」が付加されている「def.bmp」のみが図１８に示したよ
うに表示される。
【００３９】
次に、図１８の画面を見たユーザが、操作部２０３を操作してファイル名「def.bmp」
を選択した後、図１８に示した画面中のＯＫボタンＧ１を押下する旨の操作を行うと（ス
テップＳＣ１４；ＹＥＳ）、制御部２０１は、選択されたファイル名の文書画像データを
不揮発性メモリ２０１Ｄから読み出す。そして制御部２０１は、読み出した文書画像デー
タが表す画像を表示部２０２に表示させる（ステップＳＣ１５）。
【００４０】
（ユーザ名が「saburo」であるユーザが情報表示装置２を使用する時の動作）
次に、ユーザ名が「saburo」であるユーザが情報表示装置２を使用する時の動作につい
て説明する。まず、ユーザ名が「saburo」であるユーザは、ユーザ名が「ichiro」である
ユーザと同様にして情報表示装置２にログインする操作を行う。すると、図１４に示した
処理が行われ、ステップＳＣ９においてＹＥＳと判断されると、制御部２０１は、不揮発
性メモリ２０１Ｄに記憶されている文書画像データのファイル名一覧を表示部２０２に表
示させる（ステップＳＣ１１）。
ここで、上述したように、不揮発性メモリ２０１Ｄがabc.bmp、def.bmpという文書画像
データを記憶しており、abc.bmpにはユーザ名「ichiro」と「saburo」が付加され、def.b
mpにはユーザ名「ichiro」と「jiro」が付加されているとすると、ここでは、現在使用し
ているユーザのユーザ名「saburo」が付加されている「abc.bmp」のみが図１９に示した
ように表示される。
【００４１】
次に、図１９の画面を見たユーザが、操作部２０３を操作してファイル名「abc.bmp」
を選択した後、図１９に示した画面中のＯＫボタンＧ１を押下する旨の操作を行うと（ス
テップＳＣ１４；ＹＥＳ）、制御部２０１は、選択されたファイル名の文書画像データを
不揮発性メモリ２０１Ｄから読み出す。そして制御部２０１は、読み出した文書画像デー
タが表す画像を表示部２０２に表示させる（ステップＳＣ１５）。
【００４２】
以上説明したように本実施形態によれば、情報表示装置２においては、複数人が情報表
示装置２を使用する場合、ユーザは、情報処理装置１から情報表示装置２への文書画像デ
ータの出力時に閲覧を許可された文書画像データのみしか閲覧することができないため、
文書の内容が文書の閲覧を許可されていない者に知られることがない。
また、本実施形態においては、情報表示装置２へ文書画像データを出力する時に、文書
画像データを閲覧可能な者を指定できるので、情報処理装置１において文書のデータにア
クセス権がない者に対しても、文書を閲覧させることができる。
【００４３】
［変形例］
以上、本発明の実施形態について説明したが、本発明は上述した実施形態に限定される
ことなく、他の様々な形態で実施可能である。例えば、上述の実施形態を以下のように変
形して本発明を実施してもよい。
【００４４】
情報処理装置１と情報表示装置２は通信ケーブル３により通信を行うのではなく、無線
通信により通信を行って各種データや情報の授受を行ってもよい。
【００４５】
上述した実施形態においては、情報処理装置１の通信部１０６は、通信ケーブル３が接
続される端子を複数有していてもよい。また、この端子を複数有している場合、図２０に
示したように複数台の情報表示装置（情報表示装置２Ａと情報表示装置２Ｂ）を情報処理
装置１と通信ケーブル３により接続し、文書画像データを複数の情報表示装置２Ａ，２Ｂ
へ出力するようにしてもよい。
この場合、情報表示装置２Ａに図２１（ａ）に示したユーザテーブルＴＢ１１が格納さ
れ、情報表示装置２Ｂに図２１（ｂ）に示したユーザテーブルＴＢ１２が格納されており
、情報処理装置１のユーザが文書画像データの出力を指示する操作を行うと、情報表示装
置２ＡからユーザテーブルＴＢ１１と情報表示装置２Ａの装置識別子が情報処理装置１へ
送られ、情報表示装置２ＢからユーザテーブルＴＢ１２と情報表示装置２Ｂの装置識別子
が情報処理装置１へ送られる。情報処理装置１は、これらを受け取ると、図２２に示した
ように、情報表示装置２Ａの装置識別子に対応付けて、ユーザテーブルＴＢ１１に格納さ
れているユーザ名を表示し、情報表示装置２Ｂの装置識別子に対応付けて、ユーザテーブ
ルＴＢ１２に格納されているユーザ名を表示する。
【００４６】
ここで、ユーザは図２２に示した画面においてチェックボックスにチェックを入れ、情
報表示装置において文書の閲覧を許可するユーザを指定する。例えば、ユーザが操作部１
０７を操作し、情報表示装置２Ａの装置識別子に対応付けられているユーザ名「ichiro」
と「saburo」のチェックボックスにチェックを入れ、情報表示装置２Ｂの装置識別子に対
応付けられているユーザ名「shiro」と「goro」のチェックボックスにチェックを入れた
後、画面中のＯＫボタンＤ１をクリックする操作を行うと、制御部１０１は、チェックボ
ックスにチェックが入ったユーザ名「ichiro」と「saburo」とを文書画像データに付加し
、このユーザ名が付加された文書画像データを通信部１０６を制御して情報表示装置２Ａ
へ出力する。また、制御部１０１は、チェックボックスにチェックが入ったユーザ名「sh
iro」と「goro」とを文書画像データに付加し、このユーザ名が付加された文書画像デー
タを通信部１０６を制御して情報表示装置２Ｂへ出力する。
この変形例によれば、情報表示装置２を１台しか情報処理装置１へ接続できない場合と
比較して、複数台の情報表示装置へ文書画像データを効率良く出力することができる。
【００４７】
上述した実施形態においては、ユーザが情報処理装置１へログインする時のアカウント
と、ユーザが情報表示装置２に登録したユーザ名との対応付けを情報処理装置１において
行ってもよい。
具体的には、まず、情報処理装置１においても図２３に示したように、情報表示装置２
のセンサ部２０５と同様のセンサ部１１０を設ける。この場合、情報処理装置１は情報表
示装置２と同様に、図２４に示したようにユーザのアカウントと、ユーザの指紋の特徴点
データのファイル名とを対応付けて格納したアカウントテーブルを記憶する。そして、情
報処理装置１が要求メッセージを情報表示装置２へ送信すると、情報表示装置２は、ユー
ザテーブルＴＢ１、装置識別子、および特徴点データを不揮発性メモリ２０１Ｄから読み
出して情報処理装置１へ送信する。
【００４８】
情報処理装置１は、これらのデータを受け取ると、アカウントテーブルに格納されてい
るアカウントと、アカウントに対応付けて格納されているファイル名で特定される特徴点
データを記憶部１０５から読み出す。そして、読み出した特徴点データと一致する特徴点
データを、情報表示装置２から受信した特徴点データの中から検索する。情報処理装置１
は、特徴点が一致した特徴点データを見つけると、この一致した特徴点データのファイル
名に対応付けてユーザテーブルＴＢ１に格納されているユーザ名を抽出し、アカウントと
抽出したユーザ名とを対応付ける。
【００４９】
例えば、アカウント「suzuki」に対応付けられているファイル名「f0100」の特徴点デ
ータと、ユーザ名「ichiro」に対応付けられているファイル名「f001」の特徴点データと
が一致した場合、情報処理装置１は、アカウント「suzuki」とユーザ名「ichiro」とを対
応付ける。また、情報処理装置１は、アカウント「sato」に対応付けられているファイル
名「f0101」の特徴点データと、ユーザ名「jiro」に対応付けられているファイル名「f00
2」の特徴点データとが一致した場合、アカウント「sato」とユーザ名「jiro」とを対応
付ける。そして、情報処理装置１は、この対応付けしたアカウントとユーザ名とを格納し
たユーザ対応テーブルを生成して記憶部１０５に記憶する。
【００５０】
そして、情報処理装置１は文書画像データを出力する際、文書の閲覧を許可するユーザ
を指定させる時には、ユーザ対応テーブルに格納されているアカウントとユーザ名とを読
み出し、読み出したアカウントと、アカウントに対応付けられているユーザ名とを対応付
けて図２５に示したように表示部１０８に表示する。
ユーザがアカウントの横に設けられているチェックボックスにチェックを入れた後、図
２５に示した画面中のＯＫボタンＤ１をクリックする操作を行うと、制御部１０１は、チ
ェックボックスにチェックが入ったユーザ名「ichiro」と「jiro」とを文書画像データに
付加し、ユーザ名が付加された文書画像データを、通信部１０６を制御して情報表示装置
２へ送信する。
本変形例によれば、情報処理装置１においては、情報処理装置１におけるアカウントと
、情報表示装置２を使用するユーザのユーザ名との対応関係を知ることができる。
なお、情報処理装置１におけるアカウントと、情報表示装置２におけるユーザ名とを対
応付けたユーザ対応テーブルは、情報処理装置１においてユーザが操作部１０７を操作し
て手動でアカウントとユーザ名の対応付けを行って生成してもよい。また、ユーザ対応テ
ーブルは、情報処理装置１の記憶部１０５に記憶させるようにしてもよい。
【００５１】
上述した実施形態においては、情報表示装置２に送られた文書画像データを閲覧可能な
ユーザを変更できるようにしてもよい。
具体的には、ユーザが閲覧を許可するユーザの変更を指示する操作を情報処理装置１に
おいて行うと、文書画像データを要求する画像要求メッセージが情報処理装置１から情報
表示装置２へ送信される。すると、このメッセージを情報表示装置２が受け取ると、情報
表示装置２は、不揮発性メモリ２０１Ｄに記憶しているユーザテーブルＴＢ１と文書画像
データを情報処理装置１へ送信する。情報処理装置１は、これらを受信すると、情報表示
装置２から送信されたユーザテーブルＴＢ１に格納されているユーザ名を抽出する。
【００５２】
そして、抽出したユーザ名と、ログインしているユーザがアクセス権のあるファイル名
とを図２６に示したように表示する。ここで表示されたファイル名を書誌情報に含んでい
る文書画像データが情報表示装置２から送信されたデータの中にあると、情報処理装置１
は、この含まれているユーザ名の行と、表示されたファイル名の列との交差位置にあるチ
ェックボックスにチェックを表示する。
例えば、ファイル名が「abc.html」であるファイルにアクセス権のあるユーザが情報処
理装置１にログインしている場合、ファイル名が「abc.bmp」である文書画像データを情
報表示装置２から受信し、このファイルにユーザ名「ichiro」と「saburo」とが書誌情報
として含まれていると、図２６に示したように、「ichiro」のユーザ名の行と「abc.html
」のファイル名の列との交差位置にあるチェックボックスと、「saburo」のユーザ名の行
と「abc.html」のファイル名の列との交差位置にあるチェックボックスとにチェックが表
示される。
ここで、ユーザが情報処理装置１を操作し、チェックの表示／非表示を切り替えた後、
図２６の画面中のＯＫボタンをクリックする操作を行うと、情報処理装置１は、表示され
たファイル名を書誌情報に含む文書画像データにおいて、チェックが入っているユーザ名
が書誌情報に含まれるようにファイルの書誌情報を変更する。そして、書誌情報が変更さ
れたファイルを情報表示装置２へ送信する。この変形例によれば、情報表示装置に送信さ
れたファイルを閲覧できる者を容易に変更することができる。
【図面の簡単な説明】
【００５３】
【図１】本発明の一実施形態に係るシステムの全体構成を示した図である。
【図２】同実施形態に係る情報表示装置２のハードウェア構成を示した図である。
【図３】ユーザテーブルＴＢ１のフォーマットを例示した図である。
【図４】同実施形態に係る情報処理装置１のハードウェア構成を示した図である。
【図５】情報表示装置２が行う処理の流れを示したフローチャートである。
【図６】情報表示装置２に表示される画面を示した図である。
【図７】情報表示装置２に表示される画面を示した図である。
【図８】情報処理装置１に表示される画面を示した図である。
【図９】情報処理装置１に表示される画面を示した図である。
【図１０】情報処理装置１に表示される画面を示した図である。
【図１１】情報処理装置１に表示される画面を示した図である。
【図１２】情報処理装置１が行う処理の流れを示したフローチャートである。
【図１３】情報処理装置１に表示される画面を示した図である。
【図１４】情報表示装置２が行う処理の流れを示したフローチャートである。
【図１５】情報表示装置２に表示される画面を示した図である。
【図１６】情報表示装置２に表示される画面を示した図である。
【図１７】情報表示装置２に表示される画面を示した図である。
【図１８】情報表示装置２に表示される画面を示した図である。
【図１９】情報表示装置２に表示される画面を示した図である。
【図２０】本発明の変形例に係るシステムの全体構成を示した図である。
【図２１】同変形例に係るユーザテーブルを示した図である。
【図２２】同変形例に係る情報処理装置１に表示される画面を示した図である。
【図２３】本発明の変形例に係る情報処理装置１のハードウェア構成を示した図である。
【図２４】同変形例に係るアカウントテーブルを示した図である。
【図２５】同変形例に係る情報処理装置１に表示される画面を示した図である。
【図２６】同変形例に係る情報処理装置１に表示される画面を示した図である。
【符号の説明】
【００５４】
１・・・情報処理装置、２・・・情報表示装置、３・・・通信ケーブル、１０１・・・制
御部、１０２・・・ＣＰＵ、１０３・・・ＲＯＭ、１０４・・・ＲＡＭ、１０５・・・記
憶部、１０６・・・通信部、１０７・・・操作部、１０８・・・表示部、１０９Ａ〜１０
９Ｃ・・・ドライブ部、１１０・・・センサ部、２０１・・・制御部、２０１Ａ・・・Ｃ
ＰＵ、２０１Ｂ・・・ＲＯＭ、２０１Ｃ・・・ＲＡＭ、２０１Ｄ・・・不揮発性メモリ、
２０２・・・表示部、２０３・・・操作部、２０４・・・通信部、２０５・・・センサ部
【図１】
2008226081.tif 000003
【図２】
2008226081.tif 000004
【図３】
2008226081.tif 000005
【図４】
2008226081.tif 000006
【図５】
2008226081.tif 000007
【図６】
2008226081.tif 000008
【図７】
2008226081.tif 000009
【図８】
2008226081.tif 000010
【図９】
2008226081.tif 000011
【図１０】
2008226081.tif 000012
【図１１】
2008226081.tif 000013
【図１２】
2008226081.tif 000014
【図１３】
2008226081.tif 000015
【図１４】
2008226081.tif 000016
【図１５】
2008226081.tif 000017
【図１６】
2008226081.tif 000018
【図１７】
2008226081.tif 000019
【図１８】
2008226081.tif 000020
【図１９】
2008226081.tif 000021
【図２０】
2008226081.tif 000022
【図２１】
2008226081.tif 000023
【図２２】
2008226081.tif 000024
【図２３】
2008226081.tif 000025
【図２４】
2008226081.tif 000026
【図２５】
2008226081.tif 000027
【図２６】
2008226081.tif 000028